Podtech/llm-jp-corpus-v4-ja_patent huggingface dataset:
(57)【要約】      （修正有）【課題】通常のうちわの機能を有すると共に、扇部にある複数の個別図柄を順次断続的に発光させることにより、変化に富んだ美しさを提供する。【解決手段】表面層と保護層間に挟持されたＥＬシートからなる図柄７１、７２、７３、７４を有するうちわにリード線１２を介して電圧を付与し、該図柄を発光させるように構成し、表面層と保護層間に挟持されたＥＬシートからなる扇部が一体的に可撓性を持ち、バッテリー８の電圧を付与して、ＥＬシートからなる複数の個別図柄を順次断続的に発光させるための制御回路１１とオンオフスイッチ１０を扇要部９に収納し、バッテリーが把手２内に収納され、扇要部に制御回路とオンオフスイッチが収納され、制御回路からのリード線が各個別図柄に接続されていることを特徴とする。【選択図】図１
2011120859.tif 000002
【特許請求の範囲】
【請求項１】
表面層と保護層間に挟持されたＥＬシートからなる図柄を有するうちわにリード線を介して電圧を付与し、該図柄を発光させるように構成したことを特徴とする図柄の断続的発光可能なうちわ。
【請求項２】
表面層と保護層間に挟持されたＥＬシートからなる扇部が一体的に可撓性であることを特徴とする請求項１記載の図柄の断続的発光可能なうちわ。
【請求項３】
バッテリーの電圧を付与して、ＥＬシートからなる複数の個別図柄を順次断続的に発光させるための制御回路とオンオフスイッチを扇要部に収納したことを特徴とする請求項１記載の図柄の断続的発光可能なうちわ。
【請求項４】
バッテリーが把手内に収納され、扇要部に制御回路とオンオフスイッチが収納され、制御回路からのリード線が各個別図柄に接続されていることを特徴とする請求項１記載の図柄の断続的発光可能なうちわ。
【発明の詳細な説明】
【技術分野】
【０００１】  本発明は、扇部に設けた図柄の断続的な発光を可能としたうちわに関し、特に通常のうちわの機能を有すると共に、扇部分の表面から観察できるように、図柄状のＥＬシートを扇部分の表面層と保護層間に挟持させ、該図柄状のＥＬシートにリード線を介して電圧を付与し、図柄の断続的な発光を可能にしたうちわに関するものである。
【背景技術】
【０００２】  従来からうちわは使用者が涼しさを求めるために昼夜を問わずに使用するものであり、お祭りや花火大会等にも子供や大人が使用することが多く、汎用的な道具のひとつであるが、涼を求める以外にも多様的な用途のあるものが多く創案されており、例えば、宣伝用やスポーツの応援用グッズ等にも利用され目立つことが重要であった。
【先行技術文献】
【特許文献】
【０００３】
【特許文献１】  特開平７−３２７７２０
【発明の概要】
【発明が解決しようとする課題】
【０００４】    ところで、上述した特開平７−３２７７２０「照明付うちわ」は把手内にバッテリーと光源を有し、光源からの光を多数の光ファイバーで扇部表面に導いて発光させるものであるが、任意のパターンで発光させることが難しく、破損し易いものであった。【０００５】  本発明はこのような事情に鑑みてなされたものであり、複数の集合図柄が更に細分化され、しかも細分化された図柄ごとに順次発光されるように構成されており、変化に富んだ美しさを表現することが課題である。
【課題を解決するための手段】
【０００６】  本発明は、表面層と保護層間に挟持されたＥＬシートからなる図柄を有するうちわにリード線を介して電圧を付与し、該図柄を発光させるように構成したことを特徴とし、表面層と保護層間に挟持されたＥＬシートからなる扇部が一体的に可撓性であることを特徴とし、バッテリーの電圧を付与して、ＥＬシートからなる複数の個別図柄を順次断続的に発光させるための制御回路とオンオフスイッチを扇要部に収納したことを特徴とし、バッテリーが把手内に収納され、扇要部に制御回路とオンオフスイッチが収納され、制御回路からのリード線が各個別図柄に接続されていることを特徴とする図柄の断続的発光可能なうちわを提供する。【０００７】
【発明の効果】
【０００８】  本発明に係る図柄の断続的発光可能なうちわによれば、従来のうちわの機能を有すると共に扇部にある複数の個別図柄を順次断続的に発光させるため変化に富んだ美しさを提供できるものであり、また、非常に目立ちやすく、お祭りや花火大会等にも子供や大人が使用することができ、涼を求める以外にも多様的な用途に使用することができる。
【図面の簡単な説明】
【０００９】
【図１】  本発明に係る図柄の断続的発光可能なうちわの正面図である。
【図２】  図１の側面図である。
【発明を実施するための最良の形態】
【００１０】  図１乃至図２に示すように、扇部１には表面層１０１と保護層１０２間に挟持されたＥＬシートからなる集合図柄３、４、５、６、７を有しており、該集合図柄３は個別図柄３１，３２，３３，３４からなり、集合図柄７は個別図柄７１、７２、７３、７４からなり、図中に符号を付していないが、図１で明らかなように集合図柄４、５、６も集合図柄３、７と同様に個別図柄を有している。【００１１】  表面層１０１と保護層１０２間に挟持されたＥＬシートからなる扇部１は一体的に可撓性であり、図２に示すように撓むことができるので、従来のうちわの機能も有している。【００１２】  また、リード線１２を介して電圧を付与し、図柄を発光させるように構成した図柄の断続的発光可能なうちわであって、バッテリー８の電圧を付与してＥＬシートからなる複数の個別図柄３１、３２、３３、３４又は個別図柄７１、７２、７３、７４等を順次断続的に発光させるための制御回路１１とオンオフスイッチ１０が扇要部に収納されている。【００１３】  バッテリー８が把手２内に収納され、キャップ２１とバネ８１によって保持されており、バッテリー８の交換にはキャップ２１を外して交換することができる。【００１４】  扇要部９には制御回路１１とオンオフスイッチ１０が収納されており、制御回路１１からのリード線１２が各個別図柄に接続されており、各個別図柄毎に電圧が付与されるように制御回路１１によって制御されている。
【符号の説明】
【００１５】  １．扇部
１０１．表面層
１０２．保護層
１１．制御回路
１２．リード線
２．把手
２１．キャップ
３．集合図柄
３１．個別図柄
３２．個別図柄
３３．個別図柄
３４．個別図柄
４．集合図柄
５．集合図柄
６．集合図柄
７．集合図柄
７１．個別図柄
７２．個別図柄
７３．個別図柄
７４．個別図柄
８．バッテリー
８１．バネ
９．扇要部
１０．オンオフスイッチ
【図１】
2011120859.tif 000003
【図２】
2011120859.tif 000004
(57)【要約】【課題】多面のサイコロ複数を用いて暗算問題や雑学問題を無限に表示し解答遊びをする暗算等教育玩具を提供する。【解決手段】１２面の数値サイコロ（１）や、マーク付サイコロ（１Ａ）や、雑学サイコロ（１Ｂ）を適当数、５面体のサイコロケース（３）に設けた複数の収納室（２）に夫々収納し、サイコロケース（３）を転回、静止して暗算問題や雑学問題を整列表示し、解答遊びをする暗算等教育玩具。【選択図】図１
2011120851.tif 000002
【特許請求の範囲】
【請求項１】
１２面体等の多面サイコロ体で各面に１桁亦は２桁の数値をしるした数値面サイコロ（１）を複数と、同各面に加減乗除印を記したマーク付サイコロ（１Ａ）を設け、透明体の断面６角形等で横長形で複数の収納室（２）を設けたサイコロケース（３）を設け、収納室（２）に、マーク付サイコロ（１Ａ）を、複数の数値面サイコロ（１）で挟む様式で収納してなる暗算等用教育玩具。
【請求項２】
収納室（２）を開閉可能とし数値面サイコロ（１）の数値の多様に異なるものを次々入替える様にした請求項１記載の暗算等用教育玩具。
【請求項３】
多面サイコロ体の各面に雑学問題や、ハート印等をしるした雑学サイコロ（１Ｂ）を各収納室（２）に配納してなる請求項１、２、記載の暗算等用教育玩具。
【請求項４】
各種問題をしるした貼付印字片（４）をサイコロ面に貼付して解答問題を増加する様にした請求項１、２、３、記載の暗算等用教育玩具。
【発明の詳細な説明】
【技術分野】
【０００１】此発明は暗算問題や、雑学問題等を次々表示し是を解答して遊び脳力を向上させる教育玩具である。
【背景技術】
【０００２】従来のサイコロは点１から点６迄で、暗算問題や雑学問題等を表示、解答を求める様なものは無かった。
【発明の開示】
【発明の解決しようとする課題】
【０００３】一体の遊具で難易の加減乗除問題や雑学問題等を多様に表示し、これを順次解答して脳力を向上させ遊ぶ。
【課題を解決する為の手段】
【０００４】１２面体等の多面サイコロの各面に１桁亦は２桁の数位をしるした数値面サイコロ（１）を複数と、該各面に加減乗除印をしるしたマーク付サイコロ（１Ａ）を設け、是を透明体の６角筒状で複数の収納室（２）を設けたサイコロケース（３）に、マーク付サイコロ（１Ａ）を、複数の数値面サイコロ（１）で挟み込む状態で収納し、亦は諸々の雑学問題や、ハート印等を各面に表示した雑学サイコロ（１Ｂ）を各収納した暗算等用教育玩具。
【発明の効果】
【０００５】サイコロケース（３）を不規則に転回する毎に各サイコロ体も転回し、ケース体を静止水平状にすると各サイコロ体は一列状に面を揃えて整列し、暗算問題や、雑学問題を表示し、是を解答して脳力を向上させ、亦数位を複雑にした数値面サイコロ（１）や問題を替えた雑学サイコロ（１Ｂ）を別個に用意して入替えたり、亦は各サイコロ（１）（１Ａ）（１Ｂ）にハートマークを１個宛表示して、数万回に１回の確率で表示されるハート印がならび揃う幸せを楽しんだり老壮幼の人に各適合する難易問題等を提供するものである。
【実施例】
【０００６】暗算問題の場合は低度のものは１桁のみの数字の数値面サイコロ（１）複数と、÷印などを省いたマーク付サイコロ（１Ａ）を用い、高度なものは２桁数字の多い数値面サイコロ（１）を用い、或は数値面サイコロ（１）を増加等して遊び、雑学問題解答遊びの場合は種々の問題を記した貼付印字片（４）をサイコロ面に貼付して問題を増して遊び、亦何万回に一回のハートマーク整列の場合の幸福感などを期待して楽しみ乍ら脳力向上の遊びをする。
【図面の簡単な説明】
【０００７】
【図１】は本発明の平面図である
【図２】は数値面サイコロの側面図である
【図３】はマーク付サイコロの平面図である
【図４】は貼付印字片の平面図である
【符号の説明】
【０００８】１    数値面サイコロ
１Ａ  マーク付サイコロ
１Ｂ  雑学サイコロ
２    収納室
３    サイコロケース
４    貼付印字片
【図１】
2011120851.tif 000003
【図２】
2011120851.tif 000004
【図３】
2011120851.tif 000005
【図４】
2011120851.tif 000006
(57)【要約】【課題】  入浴に使う一般的なタオルを、片手の不自由な人や、手の握力の弱い人が、自分で身体を洗えるように、又、入浴介護をする介助者も、両手の使える元気な人も、誰もが容易に使うことのできる入浴用手袋を提供する。【解決手段】  肌触りの良い生地を用いたミトン形手袋の、頭部に開口部を設け、四本指を入れる方の人差し指と中指の間で両面の生地を止め縫いし、手袋口より若干離した位置にゴム紐を取り付け手袋口にフリルを形成した入浴用手袋とする。【選択図】図１
2011120855.tif 000002
【特許請求の範囲】
【請求項１】
肌触りの良い生地を用いたミトン形手袋の、頭部に開口部を設け、四本指を入れる方の人差し指と中指の間で両面の生地を止め縫いし、手袋口より若干離した位置にゴム紐を取り付け手袋口にフリルを形成した入浴用手袋。
【発明の詳細な説明】
【技術分野】
【０００１】  本発明は、病気やケガで片手の不自由な人や、高齢で手の握力が弱い人、入浴介護をする介助者などが使う入浴用手袋に関するものである。
【背景技術】
【０００２】  従来、入浴には一般的にタオルを使うが、病気やケガで片手が不自由な人が、タオルを絞ることも石けんを付けて身体を洗うことも充分にはできないので、介助者に洗ってもらわなければならない。
高齢者の入浴介護をするとき、介助者がタオルを一定の方法でたたむように手に巻き付け親指で固定しながら洗うが、耳や足の指の間など細部は洗いにくのでタオルを広げて洗うなど、その都度使い分けている。介護を受けている人を、とっさに支えなければならない時タオルを手に巻いていると動きが制約され、しっかり支えることができないので危険なことになる。その作業効率の悪さと安全への対処として、介護施設では軍手を用いているが、水に濡れた五本指の軍手はなかなか外しにくく、片手の不自由な人が軍手を用いるには脱着がさらに難しいなどがある。
なお、先願として介護入浴用手袋（特許文献１）入浴用手袋（特許文献２）がある。
【先行技術文献】
【０００３】
【特許文献１】特開平１０−１９２３６０号
【特許文献２】実開平６−３６４８８号
【発明の概要】
【発明が解決しようとする課題】
【０００４】    従来より、次のような問題点があった。
（イ）入浴に使う濡れたタオルは、片手の不自由な人や、手の握力の弱い人が扱うには長      さが手に余り扱いにくい。
（ロ）体力の弱った人はタオルを絞ることも、身体を洗うことも充分にはできにくいので      、介護施設では入浴介護のとき、軍手をタオルがわりに使うようになり、手の動き      が制約される問題はなくなり細部まで洗うことができるが、濡れた五本指の軍手は      ピッタリ肌に密着して外しにくい。あわてて裏返しに外してしまうと、元に戻すの      も手間がかかる。
（ハ）片手の不自由な人にも、介助をする人にも、両手の使える元気な人も、誰もが使え      る入浴用手袋がない。
（ニ）先願は二件とも五本指の手袋を用いての発明であり、形も、目的も本発明の入浴用      手袋とは異なっている。
本発明は以上の問題点を解決しようとするものである。
【課題を解決するための手段】
【０００５】  肌触りの良い生地を用いたミトン形の手袋の、頭部に開口部を設け、四本指を入れる方の人差し指と中指の間で両面の生地を止め縫いする。手袋口より若干離した位置にゴム紐を取り付け手袋口にフリルを形成した入浴用手袋とする。
【発明の効果】
【０００６】  本発明の入浴用手袋は、両面が対になっており左右どちらの手が不自由でも、利き手が右左どちらの人でも使うことができる。
入浴用手袋に手を入れ、軽く握ると数カ所に設けた開口部（２）（３）から水と空気が抜けやすくなっている為、タオル地など厚めの生地を用いている場合は特に水の表面張力を弱め絞りやすい状態になる。石けんを握って手の平で回し付け、手を広げてなでるように細部まで洗うことができるので、片手を使える人は自分の身体の約８割を洗うことが容易になる。
手の握力の弱い人もタオルを握り持ちつづける継続的な力は必要ないので、身体を洗うことはできなくても本発明の入浴用手袋を使えば、顔、耳くらいは自分で洗うことができる。
石けんを洗い流すには、手から外さなくても開口部（２）（３）より入る水を、生地を通して抜けるようにすれば石けんは洗い流せる。外すには指先部分を足などで挟み手を引けば簡単に外せる。
手からはずした入浴用手袋は、片手で充分握り込むことのできる大きさであり、水をしっかり絞ることができる。
手の平の面にだけ石けんを付ければ充分洗うことができるので、タオルを使う時より石けんの無駄がなくなる。
片手の不自由な人が使える本発明の入浴用手袋は、介助者にも使い勝手が良く、脱着が容易で作業効率も良く、手袋を着けていても物をつかむことができるので、介護を受ける人の安全にもつながる。
子供用サイズには、特にかわいらしさを付加した生地を用いれば子供も自分で上手に身体を洗うことができるので入浴も楽しくなる。
【図面の簡単な説明】
【０００７】
【図１】本発明の斜視図
【図２】本発明のＡ−Ａ切断面図
【発明を実施するための形態】
【０００８】  以下、本発明の実施の形態を説明する。
（イ）肌触りの良い生地を使い、縫い代を付けミトン形に裁断した生地（１）を２枚重ね      る。
（ロ）頭部に水抜き用の開口部（２）開口部（３）を設け乍ら周りを縫い合わせる。
（ハ）手袋口（４）より若干離した位置にゴム紐通し部（５）を設け、ゴム紐（６）を通      す。
（ニ）ゴム紐（６）を通すと手袋口（４）にフリル（７）ができる。
（ホ）２枚の生地を（８）止め縫いする。
本発明は、以上の構成になっている。
本発明を使用する時、上記の入浴用手袋は両面が対仕立てになっており、裏、表の区別なく両面使うことができる。
片手の不自由な人の場合、手袋口（４）より手を入れるのを助ける為にはフリル（７）の親指側を口にくわえて固定し手袋口（４）を広げながら手を入れることができる。四本指のうち、人差し指と中指で止め縫い（８）を挟むように指を入れる。止め縫い（８）があることで生地が手から離れ過ぎず、手を握ると開口部（２）（３）から空気が抜け、生地が肌に着くことで、生地に含まれている水の表面張力が弱まり、水が抜けやすくなる。手の甲側の生地（１）も引っ張られて水を絞ることができる。
生地についてはタオル、ワッフル、スウェットなど主に綿の厚めの生地を用い、特にタオル地の場合、生地を織るときから縫い代部分は平織りにしておけば、裁断もしやすく縫い上がりもスッキリして乾燥も早くなる。
更に、入浴介護をする介助者が使うメリヤス生地の軍手についていえば現在手袋口（４）の位置より細いゴム紐の入ったゴム編みに形成されているが、手袋口（４）の端より１センチくらいゴム紐を編み込まず、メリヤス編みにすると手袋口（４）がフリル（７）状になり、多少外側に丸まっても手袋口（４）を持ちやすくして、手が入れやすくなる。指の部分には開口部（２）（３）と止め縫い（８）を設け、本発明の入浴用手袋の形にすれば五本指の軍手より脱着が容易で作業効率も良くなり介助者にも使いやすくなる。
【符号の説明】
【０００９】１  生地
２  開口部
３  開口部
４  手袋口
５  ゴム紐通し部
６  ゴム紐
７  フリル
８  止め縫い
９  手
【図１】
2011120855.tif 000003
【図２】
2011120855.tif 000004
(57)【要約】【課題】スーパー等でもらえるレジ袋は使用後ゴミ袋として使えるが、百貨店や電気屋等で商品を購入した際にもらえる紙袋やビニールバックは1度使っただけで使用後すぐにゴミとなってしまう。世界中でエコが注目されている現在、考え直す必要があると考えた。【解決手段】ゴミ袋として使える素材（ポリエチレン製、透明または半透明など）の本体１の上半分位を折り返し３、折り口内側に手提げ２を付けることでショッピングバックにします。ショッピングバックとして使用後、折り返し３を戻せばゴミ袋として再利用することが出来る。【選択図】図１
2011120671.tif 000002
【特許請求の範囲】
【請求項１】
ゴミ袋になる素材を折り返し、手提げを付けることで使用後ゴミ袋として再利用できるショッピングバック。
【請求項２】
前記の素材はポリエステル製、透明または半透明などでゴミ袋として使える素材を含む請求項１のショッピングバック。
【発明の詳細な説明】
【技術分野】
【０００１】
この発明は、ショッピングバッグをゴミ袋へと再利用するためのものである。
【背景技術】
【０００２】
従来のショッピングバッグは、図５のような形状の紙製の他、ビニール製など様々な素材、形がある。鞄を持っていない時やかさばる物を購入した時に貰えると、大変便利である。
【発明の概要】
【発明が解決しようとする課題】
【０００３】
しかしながら、自宅に帰るとすぐに不要なゴミとなってしまう。ゴミ問題は現在深刻な社会問題の一つである。そこでこの発明は、ゴミにならないショッピングバックを提供することを課題とする。
【課題を解決するための手段】
【０００４】
以上の課題を解決するために、第一発明は、素材がゴミ袋として使える素材（透明または半透明のポリエチレン製など）を特徴とするショッピングバックである。
また、第二発明は折り返すことで、大きさを調整し、手提げを付ける事によってショッピングバックとして使用可能な形にしたことである。
【発明の効果】
【０００５】
第一発明、または第二発明によれば、今までゴミになっていたショッピングバックをゴミ袋として再利用することができる。販売する側も、エコイメージの宣伝になるし、商品を購入した客もエコバックなどを持参していなくても抵抗なくこのショッピングバックをもらうことが出来る。
【図面の簡単な説明】
【０００６】
【図１】この発明の一実施形態を示す斜視図である。
【図２】この発明の他の実施形態を示す斜視図である。
【図３】この発明の他の実施形態を示す斜視図である。
【図４】この発明の他の実施形態を示す斜視図である。
【図５】従来技術を示す斜視図である。
【発明を実施するための形態】
【０００７】
この発明の一実施形態を、図１に示す。
ショッピングバックの本体１はポリエチレン製、透明または半透明などでゴミ袋として使用できるものである。折り返し３で折り返すことや折り返す回数でショッピングバックとしての大きさを調整。折り返し付近の内側に手提げ２を付けることによってショッピングバックの形にした。
【０００８】
「実施形態の効果」
この実施形態によれば、ショッピングバックを容易にゴミ袋へと変形することができる。また本体1を透ける素材にした場合は、店内での万引き防止にもなると考えられる。
「他の実施形態」
図２の実施形態では折り返し３を２度繰り返すことでショッピングバックの大きさを小さくしたり、図３の実施形態では、折り返し３の位置を上げることでショッピングバックを大きくしたり、大きさを変えても良い。図４の実施形態では、折り返し付近にジップロックなどで使われるジッパー４を付け密封出来る様にし、雨の日に商品が濡れないような開閉可能な形にしても良い（図２、図３にジッパー４を付ける場合も含む）。
【符号の説明】
【０００９】
１  ショッピングバック本体      ２  手提げ      ３  折り返し      ４  ジッパー
【図１】
2011120671.tif 000003
【図２】
2011120671.tif 000004
【図３】
2011120671.tif 000005
【図４】
2011120671.tif 000006
【図５】
2011120671.tif 000007
(57)【要約】【課題】一見しただけでは開閉口がわからない、新規のからくり筆箱を提供する。【解決手段】本体１と、本体１に螺着される回転蓋８と、本体１の開口部を覆うスライド蓋10とを備え、回転蓋８を締めることによりスライド蓋10が固定され、回転蓋８を緩めることによりスライド蓋10の固定が解除されてスライド蓋10が開閉可能となるように構成した。本体１に螺着された回転蓋８を緩めてスライド蓋10を開閉可能にするという、通常では想定できない機構を採用することにより、一見しただけでは開閉口がわからないからくり筆箱を提供することができる。【選択図】図１
2011120649.tif 000002
【特許請求の範囲】
【請求項１】
本体と、この本体に螺着される回転蓋と、前記本体の開口部を覆うスライド蓋とを備え、前記回転蓋を締めることにより前記スライド蓋が固定され、前記回転蓋を緩めることにより前記スライド蓋の固定が解除されて前記スライド蓋が開閉可能となるように構成されたことを特徴とするからくり筆箱。
【発明の詳細な説明】
【技術分野】
【０００１】
本発明は、からくり箱の一種であるからくり筆箱に関する。
【背景技術】
【０００２】
からくり箱とは、一見すると開閉口がわからず、ある部品をスライドさせることにより開閉が可能となる箱の総称である。そして、からくり筆箱は、からくり箱の一種である。
【０００３】
蓋をスライドさせることにより開閉を可能とした従来の筆箱としては、例えば、特許文献１〜３に開示されたものが知られている。
【先行技術文献】
【特許文献】
【０００４】
【特許文献１】登録実用新案第３８８４３号公報
【特許文献２】登録実用新案第３８８８５号公報
【特許文献３】実開昭６３−１０３３２１号公報
【発明の概要】
【発明が解決しようとする課題】
【０００５】
しかし、上記の従来の筆箱は、一見しただけで開閉口がわかり、からくり箱として構成されたものではなかった。
【０００６】
そこで、本発明は、一見しただけでは開閉口がわからない、新規のからくり筆箱を提供することを目的とする。
【課題を解決するための手段】
【０００７】
本発明のからくり筆箱は、本体と、この本体に螺着される回転蓋と、前記本体の開口部を覆うスライド蓋とを備え、前記回転蓋を締めることにより前記スライド蓋が固定され、前記回転蓋を緩めることにより前記スライド蓋の固定が解除されて前記スライド蓋が開閉可能となるように構成されたことを特徴とする。
【発明の効果】
【０００８】
本発明のからくり筆箱によれば、本体に螺着された回転蓋を緩めてスライド蓋を開閉可能にするという、通常では想定できない機構を採用することにより、一見しただけでは開閉口がわからないからくり筆箱を提供することができる。
【図面の簡単な説明】
【０００９】
【図１】本発明のからくり筆箱の一実施例を示すスライド蓋を開けた状態を示す斜視図である。
【図２】同上、スライド蓋を閉めた状態を示す斜視図である。
【図３】同上、本体とスライド蓋の連結部分を示す断面図である。
【発明を実施するための形態】
【００１０】
本発明のからくり筆箱の一実施例について、添付した図面を参照しながら説明する。
【実施例】
【００１１】
本実施例のからくり筆箱を示す図１〜図３において、１は本体であり、２枚の木製の側板２，３、木製の妻手側板４、木製の底板５、木製の仕切り板６を接着することにより、上面が開口した容器状に形成されている。仕切り板６には、木製のナット７が一体に形成されている。また、８は回転蓋であり、回転蓋８には、ナット７と螺着する木製のボルト９が一体に形成されている。
【００１２】
10は、本体１の上面の開口を閉塞するように設けられた木製のスライド蓋である。そして、スライド蓋10の両端は、妻手側板４と回転蓋８に当接した状態で、本体１の上面の開口を閉塞するようになっている。なお、側板２，３、妻手側板４、底板５、仕切り板６、回転蓋８、スライド蓋10は、すべて同じ厚さに形成されている。
【００１３】
スライド蓋10の妻手側板４に当接する側の端部近傍において、２つの側面に、それぞれアルミニウム棒11，12の一端が埋め込まれている。そして、アルミニウム棒11，12の他端はスライド蓋10から突出している。一方、側板２，３の内側には、角丸長方形の凹部13，14が形成され、凹部13，14には、それぞれアルミニウム棒11，12の他端が挿入されている。
【００１４】
そして、回転蓋８を完全に締めた状態において、本実施例のからくり筆箱は直方体をなしている。また、側板２と側板３、妻手側板４と回転蓋８、底板５とスライド蓋10は、外観上、それぞれ同じ形状を有しており、相互に区別できないようになっている。
【００１５】
つぎに、本実施例のからくり筆箱の作用を説明する。
【００１６】
本実施例のからくり筆箱は、回転蓋８を完全に締めた状態においては、図２に示しように直方体をなしており、一見しただけでは、どこをどうすれば開けることができるのか分からない。開けるためには、回転する部品である回転蓋８を見つけて回転させることが必要となる。
【００１７】
回転蓋８を所定の向きに回転させると、ナット７とボルト９の係合が緩み、さらに回転蓋８を回転させると、回転蓋８は本体１から外れる。回転蓋８が緩むか外れることにより、スライド蓋10をスライドさせることが可能になる。
【００１８】
つぎに、スライド蓋10をスライドさせると、妻手側板４の間に隙間が形成される。なお、このとき、凹部13，14の中でアルミニウム棒11，12の他端がスライドする。妻手側板４の間に隙間が形成されることにより、アルミニウム棒11，12を回転軸として、スライド蓋10を本体１に対して回転させることが可能になる。
【００１９】
そして、スライド蓋10を回転させることにより、図１に示すように、からくり筆箱を開けることができる。
【００２０】
からくり筆箱を閉める場合は、スライド蓋10を底板５と平行にし、回転蓋８を取り付け回転させて、ナット７とボルト９の係合を締める。スライド蓋10の両端が妻手側板４と回転蓋８に隙間なく当接し、スライド蓋10は固定される。
【００２１】
以上のように、本実施例のからくり筆箱は、本体１と、本体１に螺着される回転蓋８と、本体１の開口部を覆うスライド蓋10とを備え、回転蓋８を締めることによりスライド蓋10が固定され、回転蓋８を緩めることによりスライド蓋10の固定が解除されてスライド蓋10が開閉可能となるように構成されたものである。
【００２２】
したがって、本体１に螺着された回転蓋８を緩めてスライド蓋10を開閉可能にするという、通常では想定できない機構を採用することにより、一見しただけでは開閉口がわからないからくり筆箱を提供することができる。
【００２３】
なお、本発明のからくり筆箱は、上記実施例に限定されるものではなく、種々の変形実施が可能である。例えば、本実施例のからくり筆箱は直方体であるが、円柱、三角柱などの多角形柱などとしてもよい。また、材質は木に限らず、プラスチックや金属などであってもよく、本体は側板や底板などの組み合わせに限らず、一体成形などとしてもよい。回転蓋やスライド蓋の取り付け方法も任意に変更可能である。
【符号の説明】
【００２４】
１  本体
８  回転蓋
10  スライド蓋
【図１】
2011120649.tif 000003
【図２】
2011120649.tif 000004
【図３】
2011120649.tif 000005
(57)【要約】【課題】大きな緩衝効果が得られ、断熱性と遮音性も優れたカーペットを提供することである。【解決手段】基布１に貫通させてタフティングしたパイル糸２を、基布１の表面側に沿わせて、基布１の裏面側に多数のループ３を形成し、各ループ３の頂部をラテックス４で、敷設面に敷かれる二次基布５に接着して一体化することにより、各ループ３の頂部を二次基布５で連結して変形剛性を高め、かつ、押さえ付けられる部位の周囲のループも変形させるようにして、大きな緩衝効果が得られるようにするとともに、上下の基布１と二次基布５の間に閉鎖空間６を形成して、優れた断熱性と遮音性も得られるようにした。【選択図】図１
2011120628.tif 000002
【特許請求の範囲】
【請求項１】
パイル糸を基布に貫通させてタフティングし、貫通させたパイル糸を前記基布の表面側で基布に沿わせて、基布の裏面側に多数のループを形成し、この基布の裏面側に形成した各ループの頂部に二次基布を接着で一体化して、この二次基布を敷設面に敷く下面側とし、前記パイル糸を沿わせた基布の表面側を上面側としたカーペット。
【請求項２】
前記パイル糸を前記基布の一部または全部の領域でジグザグ状にタフティングし、前記パイル糸を前記基布の表面側にジグザグ状に沿わせた請求項１に記載のカーペット。
【発明の詳細な説明】
【技術分野】
【０００１】
本発明は、基布にパイル糸をタフティングしたカーペットに関する。
【背景技術】
【０００２】
床等に敷かれるカーペットには、基布にパイル糸をタフティングし、上面となる基布の表面側にパイル糸で多数のループを形成したタフテッドカーペット（タフトカーペットとも言う）が多く用いられている（例えば、特許文献１参照）。ループをカットしたカットループを形成したものもある。また、基布の裏面側に不織布等で形成された二次基布を接着等によって一体化し、この二次基布を床面等の敷設面に敷くようにしたものもある（例えば、特許文献２参照）。
【先行技術文献】
【特許文献】
【０００３】
【特許文献１】特開平９−４１２６０号公報
【特許文献２】特開平７−３１０２７５号公報
【発明の概要】
【発明が解決しようとする課題】
【０００４】
特許文献１、２に記載されたタフテッドカーペットは、基布の表面側に形成されたパイル糸の多数のループやカットループの緩衝効果によって、クッション性や防音性を有するが、ループやカットループが独立に形成されているので、これらの変形剛性が小さく、かつ、足等で押さえ付けられる部位のものしか変形しないので、大きな緩衝効果は得られない問題がある。また、基布の表面側のループやカットループの間に形成される空気層が上方に解放されているので、断熱性や遮音性もあまり得られない。
【０００５】
そこで、本発明の課題は、大きな緩衝効果が得られ、断熱性と遮音性も優れたカーペットを提供することである。
【課題を解決するための手段】
【０００６】
上記の課題を解決するために、本発明に係るカーペットは、パイル糸を基布に貫通させてタフティングし、貫通させたパイル糸を前記基布の表面側で基布に沿わせて、基布の裏面側に多数のループを形成し、この基布の裏面側に形成した各ループの頂部に二次基布を接着で一体化して、この二次基布を敷設面に敷く下面側とし、前記パイル糸を沿わせた基布の表面側を上面側とした構成を採用した。
【０００７】
すなわち、基布に貫通させてタフティングしたパイル糸を、基布の表面側で基布に沿わせて、基布の裏面側に多数のループを形成し、基布の裏面側に形成した各ループの頂部に、敷設面に敷く二次基布を接着で一体化することにより、各ループの頂部を二次基布で連結して変形剛性を高め、かつ、押さえ付けられる部位の周囲のループも変形させるようにして、大きな緩衝効果が得られるようにするとともに、上下の基布と二次基布の間に閉鎖空間を形成して、優れた断熱性と遮音性も得られるようにした。
【０００８】
前記パイル糸を前記基布の一部または全部の領域でジグザグ状にタフティングし、前記パイル糸を前記基布の表面側にジグザグ状に沿わせることにより、カーペットの上面にジグザグ模様を形成することができる。
【発明の効果】
【０００９】
本発明に係るカーペットは、基布に貫通させてタフティングしたパイル糸を、基布の表面側で基布に沿わせて、基布の裏面側に多数のループを形成し、基布の裏面側に形成した各ループの頂部に、敷設面に敷く二次基布を接着で一体化したので、大きな緩衝効果が得られるとともに、優れた断熱性と遮音性も得ることができる。
【図面の簡単な説明】
【００１０】
【図１】カーペットの実施形態を示す断面図
【図２】図１のカーペットの上面を撮影した写真
【発明を実施するための形態】
【００１１】
以下に、本発明の実施形態を説明する。このカーペットは、図１に示すように、ポリプロピレン繊維で形成された基布１に、パイル糸２を貫通させてタフティングし、貫通させたパイル糸２を基布１の表面側に沿わせて、基布１の裏面側に多数のループ３を形成し、基布１の裏面側に形成した各ループ３の頂部を、ＳＢＲ（スチレンブタジエンゴム）のラテックス４によって、不織布で形成された二次基布５に接着して一体化したものであり、二次基布５が床面等の敷設面に敷かれる下面側とされ、パイル糸２を沿わせた基布１の表面側が上面側とされる。二次基布５の下面側には、滑り止め用等のバッキング剤を塗工してもよい。
【００１２】
したがって、各ループ３の頂部が二次基布５で連結されて変形剛性を高められ、かつ、押さえ付けられる部位の周囲のループ３も変形するので、大きな緩衝効果が得られるとともに、上下の基布１と二次基布５の間に閉鎖空間６が形成されるので、優れた断熱性と遮音性も得られる。
【００１３】
図２の写真に示すように、前記パイル糸２は、複数本のものがタフティング方向に対して、基布１の全域でジグザグ状にタフティングされ、基布１の表面側に沿う各パイル糸２によって、カーペットの上面にジグザグ模様が形成されている。また、一部のパイル糸２ａは色の異なるものとされ、色違いのジグザグ模様も形成されている。
【００１４】
上述した実施形態では、パイル糸を基布の全域でジグザグ状にタフティングしたが、基布の一部の領域のみでジグザグ状にタフティングすることもできる。この場合は、カーペットの上面にジグザグ模様と直線模様を組み合わせた模様を形成することができる。
【００１５】
また、上述した実施形態では、基布をポリプロピレン繊維で形成されたものとしたが、基布は他の合成繊維や絹等の天然繊維で形成されたものとしてもよい。
【符号の説明】
【００１６】
１  基布
２、２ａ  パイル糸
３  ループ
４  ラテックス
５  二次基布
６  閉鎖空間
【図１】
2011120628.tif 000003
【図２】
2011120628.tif 000004
(57)【要約】【課題】  本発明は環境への配慮が要求される山小屋あるいは室内で用を足さなければならない場合に使用するための水の要らないトイレの提供にある。【解決手段】  トイレ便座と薄い樹脂製の袋からなり、樹脂製の袋はトイレ便座の上方からその開口部を外側に開いてトイレ便座を覆うようにされ、前記樹脂製の袋の閉じた部分が下方に垂らし、袋部に大小便を閉じ込め、用を足した後袋を閉じるようにした水の要らないトイレであり、また薄い樹脂製の筒が、その一端を外側に巻かれて下方に引くことで、新たな筒部が現れるように構成された水の要らないトイレである。【選択図】図１
2011120770.tif 000002
【特許請求の範囲】
【請求項１】
トイレ便座と薄い樹脂製の袋からなり、樹脂製の袋はトイレ便座の上方からその開口部を外側に開いてトイレ便座を覆うようにされ、前記樹脂製の袋の閉じた部分が下方に垂らし、袋部に大小便を閉じ込め、用を足した後袋を閉じるようにした水の要らないトイレ。
【請求項２】
請求項１記載の水の要らないトイレにおいて、薄い樹脂製の筒が、開口部を外側に巻かれて下方に引くことで、新たな筒部が現れるように構成された水の要らないトイレ。
【発明の詳細な説明】
【技術分野】
【０００１】
本発明は、水の要らないトイレ技術に属する。
【背景技術】
【０００２】
従来、トイレは大小便をした後、水を流して下水に流すように構成されるようになっている。水を使用できない山岳用のトイレあるいは室内で使用する看護用トイレが求められている。かかるトイレとして特開平05-004099には一対のフィルタ供給部から一枚ずつ樹脂製のシートが供給され、シートの間に糞便を包む便包み機構、便付フィルタ圧縮機構、乾燥装置などを組み合わせた便状廃棄物処理装置が提案されている。本装置は機構的にも複雑で、山小屋、室内などで使用することは困難であった。
【先行技術文献】
【特許文献】
【０００３】
【特許文献１】特開平05-004099
【発明の開示】
【発明が解決しようとする課題】
【０００４】
上記のようにトイレは用を足した後、水で下水に流し、処理する。しかし、水を流す設備のない、所定の場所で用を足さなければならない場合も多々あるようになっている。本発明は環境への配慮が要求される山小屋、あるいは室内で用を足さなければならない場合に使用するための水の要らないトイレの提供にある。
【課題を解決するための手段】
【０００５】
本第1の発明は、トイレ便座と薄い樹脂製の袋からなり、樹脂製の袋はトイレ便座の上方からその開口部を外側に開いてトイレ便座を覆うようにされ、前記樹脂製の袋の閉じた部分が下方に垂らし、袋部に大小便を閉じ込め、用を足した後袋を閉じるようにした水の要らないトイレであり、
本題2の発明は上記の水の要らないトイレにおいて、新たな袋部を長い筒状のシートとし、使用毎に新たなシートが引き出せるように外方に向かい丸め込まれた水の要らないトイレである。
樹脂製の袋に用を足し、袋の口を閉じて処理できる場所に持ち運べるようにしたものであり、第1の発明は一回用を足すごとに一枚の樹脂製の袋を使用するものであり、第２の発明は長い樹脂製の筒を、一回使用するごとに引き伸ばすことで他端を閉じて袋を形成するものである。
【発明の効果】
【０００６】
本願発明は、樹脂製の袋を便座にかぶせ、袋の閉じた部分を下方に垂らして、袋内に用を足し、袋の開口部を閉じてから所定の場所に運び処理するようにしたため、水のない場所、水を使えない場所でも使用できる。また長い筒状のシートを、その上端部を外側に巻き込むことで引き出し可能としたため連続して使用が可能である。
【図面の簡単な説明】
【０００７】
【図１】は、本発明に係る水の要らないトイレの第1の例を示す概念図である。
【図２】は、本発明に係る水の要らないトイレの第２の例を示す概念図である。
【発明を実施するための形態】
【０００８】
図1に示すように、本水の要らないトイレは、人が座れるように構成されたトイレの便座と樹脂製の袋から構成されている。
樹脂製の袋は、その閉端部が便座の中に垂らされ、開口部が外側に広がり便座を覆うようになっている。また樹脂製の袋は便座の近くに重ねて配置しておくことができる。人が便座に座ることにより樹脂製の袋は便座から外れないようになっている。
【０００９】
便座との固定は、例えば、便座に設けた溝と溝に嵌る輪を設け、樹脂製の袋が溝と輪によって固定されるようにしてもよい。樹脂製の袋が袋に入る大小便の重さで落下しないよう固定されればよい。用を足した後は袋の開口部を閉じ、所定の場所で処理することができる。
【００１０】
樹脂製の袋には、必要に応じて例えばポリアクリルアミド系の吸水性の樹脂を袋状にして挿入可能としあるいは袋の内側に貼り付けておくことができる。こうすることで特に小便の場合水分が吸水性の樹脂に吸収されその取扱が容易になる。
【００１１】
また、図２に示すように、長い樹脂製の筒を、その一端を外側に巻き込み、必要に応じて引き出せるようにしておくこともできる。樹脂製の筒は用を足すごとに結びあるいは溶融接着されるようにしておくことができる。
【００１２】
樹脂製の袋は、ポリオレフィン系のあるいはポリ塩化ビニルなどの薄いシートで形成される。
【産業上の利用可能性】
【００１３】
本水の要らないトイレは、水の使用できない室内での看護用、あるいは環境を考慮するべき山小屋用のトイレとして使用可能である。
【符号の説明】
【００１４】
１  水の要らないトイレ
２  便座
３  樹脂製の袋または筒
【図１】
2011120770.tif 000003
【図２】
2011120770.tif 000004
(57)【要約】【課題】レードルでスープを掬う際に、従来のレードルより容易にスープを一杯に掬う事のできるレードルを提供する事を課題とする。【解決手段】レードルの下部の容器部分３の最上部両端に、吊り手部分２を垂直に取り付け、その吊り手部分２の最頂部に柄１を垂直に取り付ける。その形状により、柄を持ち上げただけで下部の容器部分３が水平となり、スープを一杯に掬う事が可能となる。【選択図】図４
2011120701.tif 000002
【特許請求の範囲】
【請求項１】
レードルの下部の容器部分の最上部両端に、吊り手部分を垂直に取り付け、該吊り手部分の最頂部に柄を垂直に取り付ける。それらによりレードルの柄を持ち上げる事のみによってレードルの下部の容器部分が水平となり、よってスープを容器部分一杯に掬う事ができることを特徴とするスープレードル。
【発明の詳細な説明】
【技術分野】
【０００１】
本発明は、調理器具の一つであるレードルに関する。
【背景技術】
【０００２】
従来、調理の際に料理を掬う器具として、和食では主に御玉杓子を用いるのが一般である。又、汁物を多量に掬う場合には柄杓を使用する事も周知である。
【０００３】
洋食ではレードルの大小を使い分ける事によって、シチューやカレー、又スープ等殆どをまかなう事ができる。
【０００４】
特にレードルは計量する事も可能で、それぞれのレードルの柄に掬う事のできる最大液体量をCCで明記してある。従ってスープの量を、レードルの使い分けによって必要な数量を食器に盛り付ける事ができる。
【先行技術文献】
【特許文献】
【０００５】
【特許文献１】実開昭５２−４５５５９号公報
【発明の概要】
【発明が解決しようとする課題】
【０００６】
しかしレードルの使用方法としてスープを計量し盛り付ける場合、スープを仕込んである寸胴からレードルを持ち上げただけではレードル自体が斜めになり、下部の容器部分が一杯にならない。
【０００７】
従って一杯にする為には薬指等を柄の部分に添え、指使いによって調整し容器部分を水平にする必要があった。当然目視によるものでもある。
【０００８】
又、仕込んである寸胴のスープが残り少ない場合は、覗き込む様にして作業しなければならず、頻繁に作業する場合には負担ともなる。又、一杯にスープを掬ったレードルを、寸胴から食器へと移動する際に薬指等を柄の部分に添えている為、つまりレードルを固定している状態となりスープも溢れやすくなる。
【０００９】
又、下部の容器部分が水平となる構造の(例えば、特許文献１参照。)が考案されているものの、多量の液体を汲む場合には便利と言えるが、少量のスープを頻繁に汲む作業には従来のレードルに依るところが当然といえる。
【００１０】
そこで前記の不具合を解消する為、レードルを持ち上げただけで下部の容器部分が水平となる柄の構造を備えるスープ専用レードルを提供する。
【課題を解決するための手段】
【００１１】
まず一つ目の方法として、例えばバケツの柄が垂直の状態で固定され、その柄の中心に
垂直に固定された柄が設けられている様な構造（図４参照）のものが考えられる。
【００１２】
もう一つの方法としては、レードルを持ち上げた時に下部の容器部分が水平になる様、柄を内側へ角度をもたせ、その先端部分がレードルの下部の容器部分の中心のほぼ真上にくる様な構造（図６参照）のものも考えられる。
【００１３】
又、下部の容器部分の中心、つまり最底部に垂直に柄をとりつけたものも可能である。例えていうと傘を逆さにした形状のものである。
【００１４】
以上の様に柄の構造や下部の容器部分との取り付け方法には特に限定されるものではないが、使用時の構造としてレードルの柄を持ち上げただけで、下部の容器部分が水平となりスープを汲み上げる事ができる構造とする事が特徴といえる。
【発明の効果】
【００１５】
よって従来のレードルの様にスープを一杯に汲み上げる際、指によって微調整する必要もなく、又、目視による確認も省略する事ができる。当然初心者にも容易に使いこなす事が可能である。
【００１６】
又、スープを寸胴から食器に移す際のスープ溢れの防止にも効果的であり、スピーディな作業となる。更には寸胴のスープが残り少ない場合でも、特に覗き込む必要もなく作業効率の向上につながる。
【図面の簡単な説明】
【００１７】
【図１】従来のレードルの側面図
【図２】従来のレードルの斜視図
【図３】本発明による第一の形態によるレードルの側面図
【図４】本発明による第一の形態によるレードルの斜視図
【図５】本発明による第二の形態によるレードルの側面図
【図６】本発明による第二の形態によるレードルの斜視図
【発明を実施するための形態】
【００１８】
形態としては、一つ目として図４に示す下部の容器部分３の最上部両端に吊り手部分２を垂直に取り付け、その吊り手部分２の最頂部に柄１を垂直に取り付け、更に柄の最上部には従来のレードル同様の指を掛けて持ち上げる部分が備えられる。（収納時の吊り下げ部でもある）
【００１９】
二つ目の形態としては図６に示す様に柄の先端がスープ満杯時のレードルの重心の真上にくる構造とする。
【００２０】
しかしこの構造の場合は、レードルをゆっくり持ち上げた際には一杯の状態となるが、急いで持ち上げた場合はスープの抵抗がある為、レードルが傾き一杯に掬う事ができない状態となり、形態としては適切とは言いがたい。
【００２１】
三つ目の形態としては、下部の容器部分の中心、つまり最底部に柄を直接取り付ける構造とし、よって前記の不具合に於いては対応する事ができる。
【００２２】
なお柄の形状やレードルの材質においては従来のレードルに準ずるものと考えてよい。
【符号の説明】
【００２３】
１  柄
２  吊手部
３  レードルの下部の容器部分
【図１】
2011120701.tif 000003
【図２】
2011120701.tif 000004
【図３】
2011120701.tif 000005
【図４】
2011120701.tif 000006
【図５】
2011120701.tif 000007
【図６】
2011120701.tif 000008
(57)【要約】      （修正有）【課題】日本語入力時の煩雑さを解消する。【解決手段】日本語の原理の仕様を使用する事で日本語入力を容易に且つ効率よくする。即ち入力ボタンを三列に配し一列に母音行５個と二列に子音行４個と５個配した。入力操作表示方法として母音入力は母音一回入力ボタン押し。子音は関連子音行入力ボタンと関連母音１回押し。母音小文字は母音ボタン２回押し。な行に配置された、ん文字はな行ボタン２回押し。子音の小文字・促音・反濁音は関連列子音行ボタンを２回押し関連母音押し表示。濁音は関連子音行ボタンを３回押し関連母音ボタン押し表示。以上の入力操作手段によりボタン最大３回押しとした。入力ポジションを設ける事により弱視者の入力を効率と確実性を高めた。【選択図】図１
2011120187.tif 000002
【特許請求の範囲】
【請求項１】
日本語の原理の仕様を使用する事で日本語入力を容易に且つ効率よくし問題の課題を解決しようとするものである。即ち入力ボタンを三列に配し一列に母音行５個と二列に子音行４個と５個配する。
入力操作方法を簡素化することでより効率性・確実性を高めた。
即ち入力操作手段として母音入力は母音一回入力ボタン押し
子音は関連子音行入力ボタンと関連母音１回押し。
母音小文字はその母音ボタン２回押し。な行に配置されたん文字はな行ボタン２回押し  。
子音の小文字・促音・反濁音は関連列子音行ボタンを２回押し母音を１回押し表示。
濁音は関連子音行ボタンを３回押し母音１回押し表示。
以上一つのボタン最大押しは三回で文字表示を容易に為し一般的携帯通信機のみならず  ・ＡＴＭ・電子辞書等のワード入力を健常者と弱視者共に共有出来る人に優しく、確実  な入力を図った入力ボタンである。
【請求項２】
英文字は一定数値２個入力ボタンに配することで入力を容易にした。
カタカナ文字・算数字はシフトキーにより対応。
【請求項３】
入力ポジションを設ける事により弱視者の入力効率を高めた。
【発明の詳細な説明】
【技術の分野】
【０００１】  本発明は一般的携帯通信機・ＡＴＭ・電子辞書等のワード入力を健常者のみならず弱視者も共に共有出来る効率的な入力ボタンである。
【背景の技術】
【０００２】  従来の一般的ＡＴＭ・電子辞書等のワード入力はひらがな五十音文字濁点・半濁点等の文字から必要文字を逐一検索選択表示面倒・混迷の限り大変・一般的携帯通信機於いても例を挙げると文字おを入力する場合あいうえおと５回あの入力ボタン押し表示確認。
拗音の小文字は更に５回プラス押し計１０回、濁音ぼを入力する場合ははの入力ボタンを検索しはひふへほとボタンを５回押しほを表示確認の上、濁点ボタンを検索しほに付加。促音や半濁点文字ぽも同様に入力複雑極まりない上確認見過ごした場合は再度入力やり直し拗音小文字は合計２０回ボタン押し健常者さえ面倒至極で仕方ない。
弱視者はなおさら入力不可能といっても過言でない現状である。
尚英字入力も文字配列数がランダムで入力し難い
【先行技術文献】
登録実用新案公報（Ｕ）  実用新案登録第３０９９８０８号
【非特許文献１】
【非特許文献２】
【発明の概要】
【発明が解決しようとする課題】
【０００３】  従来の一般的ＡＴＭ・電子辞書等のワード入力はひらがな五十音文字濁点・半濁点等の文字全体から必要文字を逐一検索大変である。
本発明は一般的携帯通信機で例を挙げると母音文字おを入力する場合あいうえおと５回あの入力ボタン押し表示確認。
拗音の小文字は更に５回プラス押し計１０回、
濁音ぼを入力する場合ははの入力ボタンを検索しはひふへほとボタンを５回押しほを表示確認の上、濁点ボタンを検索しほに付加。促音や破裂音ぽも同様に入力複雑極まりない上見過ごした場合は再度入力やり直し健常者さえ面倒至極で仕方ない。
弱視者はなおさら入力不可能といっても過言でない現状問題課題解決を図ろうとするものである。【０００４】  尚従来の一般的携帯通信機で例を挙げると英字入力も文字配列数がランダムで入力し辛い問題課題を解決しようとするものである
【課題を解決しようとする手段】
【０００５】日本語の原理の仕様を使用する事で日本語入力を容易に且つ効率よく問題の課題を解決しようとするものである。
即ち入力ボタンを三列に配し一列に母音行５個と二列に子音行４個と５個配すると共に英文字は一定数値２個入力ボタンに配する。
入力操作法を簡素化・確実性を図り最大入力ボタン３回押しとした。
上記に加え入力ボタンの入力拠点を設ける事で弱視者もより入力効率良くする事で現況のワード入力の問題解決を図るものである。
（カタカナ文字・算数字はシフトキーにより対応）
【発明の効果】
【０００６】母音は一回入力ボタン押し、母音の小文字は二回入力ボタン押し。
同様にな行に配置された文字んはな行入力ボタンを二回押し。
子音は関連子音行入力ボタンと関連母音１回押し。
子音小文字促音等は子音関連行入力ボタンを２回押し関連母音１回押し。
反濁音は関連列子音行ボタンを２回押し母１回押し表示
濁音は関連子音行ボタンを３回押し母音１回押し表示。
以上一つのボタン最大押しは三回で確実・容易・効率的に文字表示可能にした。
入力ポジションを設ける事により弱視者の入力を効率と確実性を高めた。
一般的携帯通信機のみならず・ＡＴＭ・電子辞書等のワード入力を健常者と弱視者共に共有出来る人に優しい効率的なワード入力効果を図り得た。
尚英文字は一定数値２個入力ボタンに配することで検索入力を容易にした。
（カタカナ文字・算数字はシフトキーにより対応）
【図面の簡単な説明】
【０００７】
【図１】文字全体縦書き配列例  （ａ）母音行を三列中心に配列  （ｂ）母音行を三列の左端に配列
【図２】文字全体横書き配列例
【図３】英文字全体縦書き配列例  （ａ）三列縦書きボタン配列に横に沿ってアルファベットＡから順に２個ずつ入力ボタン配列  （ｂ）三列縦書きボタン配列に縦に沿ってアルファベットＡから順に２個ずつ入力ボタン配列  尚英文字横書き配列も同様な配列を取り入力  図中の●は起伏を設けた入力拠点
【発明を実施するための実施例】
【０００８】母音は一回入力ボタン押し、母音の小文字は二回入力ボタン押し。
同様にな行に配置された文字んはな行入力ボタンを二回押し。
子音は関連子音行入力ボタンと関連母音１回押し
促音・反濁音は関連列子音行ボタンを２回押し関連母音１回押し表示
濁音は関連子音行ボタンを３回押し関連母音ボタン１回押し表示。
【符号の説明】
【０００９】●は入力拠点
【産業上の利用可能性】
【０００１０】種々なる電子機器ワード入力利用可能にした。
【図１】
2011120187.tif 000003
【図２】
2011120187.tif 000004
【図３】
2011120187.tif 000005